(57)【要約】【目的】簡易構造にして大小二種類のディスクの位置決めや再生駆動を良好に行うことのできるディスクドライブ装置を提供する。【構成】大小二種類のディスクを出し入れ可能な開口部７、開口部に挿入されたディスクを引き込む送りローラ９、送りローラで引き込まれたディスクの端面が突き当たる凸部１６をもつ揺動リンク１３Ａ，１３Ｂ、揺動リンクを固定する錠板１２、揺動リンクの一方に連接する作動レバー２１、及び作動レバーの揺動により開口部側に向けて移動を開始するスライドカム５を備える。小径ディスクｄは揺動固定された揺動リンク１３Ａ，１３Ｂの凸部１６でクランプ位置に停止され、大径ディスクＤの引き込み時には揺動リンク１３Ａ，１３Ｂの揺動固定が解除され、そのクランプ時において、その端面に圧着する凸部１６は、スライドカム５による作動レバー２１の押圧操作により大径ディスクＤから離間する。【選択図】  図３
2004362717.tif 000002
【特許請求の範囲】
【請求項１】
直径が異なる大小二種類のディスクを出し入れ可能な開口部と、その開口部に挿入されたディスクを引き込む送りローラと、この送りローラで引き込まれたディスクの端面が突き当たる凸部を形成して互いに逆向きに揺動する一対の揺動リンクと、その揺動リンクを固定するロック手段と、前記揺動リンクの一方に連接する作動レバーと、その作動レバーの揺動により前記開口部側に向けて移動を開始するスライドカムとを有し、そのスライドカムが開口部側へ移動することによりディスクの中心部がターンテーブル上でクランプされるようにしたディスクドライブ装置であって、小径ディスクは送りローラの引き込みにより作動レバーを揺動させつつ進行して揺動固定された一対の揺動リンクの凸部でクランプ位置に停止される一方、大径ディスクの引き込み時にはロック手段による揺動リンクの揺動固定が解除されて大径ディスクが揺動リンクに接続するバネの弾力に抗して凸部を押し込みつつ進行し、これにより一対の揺動リンクに連動して作動レバーが揺動してスライドカムの移動が開始されると共に、そのスライドカムには大径ディスクの引き込み時における開口部側への移動によって作動レバーの一端部を押圧する加圧部が形成され、その加圧部による作動レバーの押圧により一対の揺動リンクが前記バネの弾力に抗する方向に揺動されてクランプ状態にある大径ディスクの端面から前記凸部が離間することを特徴とするディスクドライブ装置。
【発明の詳細な説明】
【０００１】
【発明の属する技術分野】
本発明は、主としてＣＤ（Ｃｏｍｐａｃｔ  Ｄｉｓｋ）などのディスクを再生駆動するのに用いられるディスクドライブ装置に係わり、特に直径が異なる大小二種類のディスクを再生可能なディスクドライブ装置に関するものである。
【０００２】
【従来の技術】
近年、音声や映像の記録媒体としてＣＤやＤＶＤなどのディスクが普及している。その多くは直径１２ｃｍに統一されているが、なかにはシングルＣＤと呼ばれる直径８ｃｍのものもある。そして、それら大小二種類のディスクは一般に同一の装置による再生駆動が可能とされているが、ディスクをターンテーブル上に手動で配置するものは別として、送りローラによる移送方式では大小二種類のディスクの正確な位置決め制御が要求される。
【０００３】
係るディスクドライブ装置としては、送りローラにより装置内部に引き込まれるディスクの大小を先ず数多のフォトセンサで判別し、次いでそれらフォトセンサによる判別信号に基づいてソレノイドを駆動し、これによりディスクの大小に応じてストッパピンの位置変えを行うようにしたものがある。
【０００４】
然し、その種のドライブ装置ではディスクの大小判別に多数のフォトセンサを必要とするためコスト高になるほか、制御プログラムが複雑になるという不利があり、しかもフォトセンサによる異物の検出で制御系が誤動作するという欠点をもつ。
【０００５】
そこで、所定位置に達した小径ディスクによって作動される第１のスイッチ作動レバーと、所定位置に達した大径ディスクによって作動される第２のスイッチ作動レバーとを含むリンク機構により大小のディスクを所定位置まで案内し、第１、第２のスイッチ作動レバーによるスイッチング操作でディスクのクランプ動作などが実行に移されるという装置が実用化されている（例えば、特許文献１）。
【０００６】
【特許文献１】
実公平６−４８６０３号公報
【０００７】
【発明が解決しようとする課題】
然し乍ら、特許文献１に開示される装置では、大小ディスクの位置決めを正確に行うために第１、第２のスイッチ作動レバーのみならず、多数の部品を必要として構造が複雑になる。又、それらスイッチ作動レバーにはディスクの端面が接触するので、ディスクを再生駆動するに際してその端面からスイッチ作動レバーを離間させる特別な工夫が必要となる。
【０００８】
本発明は以上のような事情に鑑みて成されたものであり、その主たる目的は簡易構造にして大小二種類のディスクの位置決めや再生駆動を良好に行うことのできるディスクドライブ装置を提供することにある。
【０００９】
【課題を解決するための手段】
本発明は上記目的を達成するため、直径が異なる大小二種類のディスクｄ，Ｄを出し入れ可能な開口部７と、その開口部に挿入されたディスクを引き込む送りローラ９と、この送りローラで引き込まれたディスクの端面が突き当たる凸部１６を形成して互いに逆向きに揺動する一対の揺動リンク１３Ａ，１３Ｂと、その揺動リンクを固定するロック手段１２と、前記揺動リンクの一方に連接する作動レバー２１と、その作動レバーの揺動により前記開口部側に向けて移動を開始するスライドカム５とを有し、そのスライドカムが開口部側へ移動することによりディスクｄ，Ｄの中心部がターンテーブル３上でクランプされるようにしたディスクドライブ装置であって、小径ディスクｄは送りローラ９の引き込みにより作動レバー２１を揺動させつつ進行して揺動固定された一対の揺動リンク１３Ａ，１３Ｂの凸部１６でクランプ位置に停止される一方、大径ディスクＤの引き込み時にはロック手段１２による揺動リンク１３Ａ，１３Ｂの揺動固定が解除されて大径ディスクＤが揺動リンク１３Ａに接続するバネ１８の弾力に抗して凸部１６を押し込みつつ進行し、これにより一対の揺動リンク１３Ａ，１３Ｂに連動して作動レバー２１が揺動してスライドカム５の移動が開始されると共に、そのスライドカム５には大径ディスクＤの引き込み時における開口部７側への移動によって作動レバー２１の一端部を押圧する加圧部３２が形成され、その加圧部３２による作動レバー２１の押圧により一対の揺動リンク１３Ａ，１３Ｂが前記バネ１８の弾力に抗する方向に揺動されてクランプ状態にある大径ディスクＤの端面から前記凸部１６が離間することを特徴とする。
【００１０】
【発明の実施の形態】
以下、本発明の適用例を図面に基づいて詳細に説明すれば、図１は係るディスクドライブ装置の平面概略図であり、図２には同正面概略図を示す。図１、図２において、１はシャーシ、２はシャーシ内に緩衝器を介して支持される断面凹字形のベースプレートであり、そのベースプレート２にはディスクを回転させるためのターンテーブル３ほか、その半径方向に移動する光ピックアップ４などが設けられ、ベースプレート２の側面には該側面に沿って前後に移動可能なスライドカム５が設けられる。スライドカム５はカム本体５Ａと該カム本体に摺動可能にに組付けられるラック５Ｂから成り、そのラック５Ｂは図示せぬスプリングにより後方に付勢されている。
【００１１】
又、ベースプレート２の前方一端部上には天板６が固定され、その天板６とベースプレート２との間には、小径ディスク（本例において直径８ｃｍのＣＤ）と大径ディスク（本例において直径１２ｃｍのＣＤ）とを出し入れ可能な開口部７が形成される。図２において、８は天板から開口部に垂下する左右一対のガイドピンであり、外部から開口部７内にディスクを挿入したときには、その挿入力により一対のガイドピン８，８が押し広げられて大小ディスクの通過が許容され、而してそれらディスクが天板６と送りローラ９に挟まれて装置内に引き込まれるようになっている。
【００１２】
尚、送りローラ９は開口部７の奥側でベースプレート２の両側面間に昇降可能な状態で架設されており、その一端には図示せぬモータから回転駆動力が伝達される。又、天板６の裏面にはガイドピン８，８を形成する板金１０，１０などを介して図示せぬカバープレートが取り付けられ、そのカバープレートにディスクの非記録面が摺接しながらその引き込み／排出が行われるようになっている。
【００１３】
ここで、天板６には図１に示すよう支点Ｐ１を中心として揺動可能な解錠板１１が取り付けられ、大径ディスクが上記のガイドピン８，８の間を通過する際には板金１０を介して解錠板１１が図１の時計方向に揺動し、これに連れて錠板１２（ロック手段）が図１の右側に移動することにより、後述する揺動リンクの揺動固定が解除されるようにしてある。
図３において、１３Ａ，１３Ｂは一対の揺動リンクであり、この揺動リンク１３Ａ，１３Ｂは金属製のフラップ板１４に取り付けられ、支点Ｐ２，Ｐ３を中心に揺動自在とされている。特に、揺動リンク１３Ａ，１３Ｂの各一端には円弧状をしたギア部１５が形成され、その噛み合いによって揺動リンク１３Ａ，１３Ｂが互いに逆向きに揺動するようになっている。又、揺動リンク１３Ａ，１３Ｂには夫れ夫れ支点Ｐ２，Ｐ３から隔てた位置にピン状の凸部１６が形成され、フラップ板１４には凸部１６の通路の成す円弧状のガイド孔１７が穿設される。尚、一方の揺動リンク１３Ａはバネ１８によりフラップ板１４と繋がれて図３の時計方向に付勢され、他方の揺動リンク１３Ｂは同バネ１８によりギア部１５を介して図３の反時計方向に付勢されている。これにより、一対の揺動リンク１３Ａ，１３Ｂは、凸部１６をガイド孔１７の前端に突き合わせた初期状態を保つようになっている。
【００１４】
又、図３から明らかなように、フラップ板１４には上記の錠板１２が取り付けられている。１９は錠板を図３の左右方向に移動自在に支持するべくフラップ板に形成した固定ピンであり、錠板１２にはその固定ピン１９を通す長孔１２Ａと、揺動リンク１３Ａの一端に係合するロックピン１２Ｂとが形成され、そして錠板１２はフラップ板１４との間に掛けられるスプリング２０により図３の左方に付勢されている。ここで、ロックピン１２Ｂは揺動リンク１３Ａの一端に係合してギア部１５が噛み合った揺動リンク１３Ａ，１３Ｂを初期状態で揺動固定しており、この状態では凸部１６，１６の間隔が小径ディスクの直径よりも小さく、該ディスクの通過を許容しない。
【００１５】
一方、錠板１２と逆側に配される揺動リンク１３Ｂには作動レバー２１が支点軸Ｐ４にて連接され、その作動レバー２１が支点軸Ｐ４回りに揺動自在とされている。この作動レバー２１には、支点軸Ｐ４から隔てた両端部に下方へ突出する突起２１Ａ，２１Ｂが形成される。このうち、一端部の突起２１Ａは揺動リンクの凸部１６，１６の間でそれより稍奥側に位置し、他端部の突起２１Ｂはフラップ板１４の端縁より外側に位置して図１に示したスライドカム５と部分的に接触するようになっている。特に、作動レバー２１は突起２１Ｂとフラップ板１４の端縁との接触により揺動範囲が規制され、図３の状態では時計方向にそれ以上揺動しないようになっており、このとき小径ディスクが凸部１６の位置まで到達すると、その端面により突起２１Ａが押圧されて作動レバー２１が図３の反時計方向に揺動する。
【００１６】
又、大径ディスクの場合にはこれが凸部１６の位置に到達する前に上記の如く錠板１２による揺動リンク１３Ａ，１３Ｂの揺動固定が解除されているために、大径ディスクはバネ１８の弾力に抗して凸部１６を押し込みつつ進行を続け、フラップ板１４の後部に形成されるストッパ２２に端面が突き当たった状態で停止されるが、このとき大径ディスクの端面は突起２１Ａに接触するに至らず、作動レバー２１は大径ディスクによる凸部１６の押し込みによって揺動する揺動リンク１３Ａ，１３Ｂに連動して、作動レバー２１が後方へ移動されつつその縁がフラップ板１４の後部に突き当たり、図３の反時計方向に揺動される。
【００１７】
以上のようにして作動レバー２１の揺動が行われると、図４に示すよう作動レバー２１の一端部に形成した突起２１Ｂがスライドカム５の後部（詳しくはラック５Ｂに形成した鍔部２３）を押す。すると、ラックの歯部２４がベースプレート２に設けられる歯車２５と噛み合ってスライドカム５（カム本体５Ａ及びカム５Ｂ）の開口部７側への移動が開始され、而してディスクの中心部がターンテーブル３上でクランプされてその再生準備が整うようになる。
【００１８】
尚、図３において、２６はターンテーブルと協同してディスクの中心部をクランプする円盤状のクランプ板であり、このクランプ板２６はターンテーブル３に対向してフラップ板１４に回転自在に取り付けられている。又、フラップ板１４はその後部１４Ａが図１に示したベースプレートの後部ブラケット２Ａに接続されて上下に揺動可能とされており、ディスクのクランプ時には図示せぬ捩りバネの作用によりフラップ板１４が下方揺動してディスクの片面中心部へのクランプ板２６の圧着が行われる。
【００１９】
つまり、図５で明らかなように、スライドカムのカム本体５Ａには台形状の隆起部２７が形成されると共に、フラップ板１４にはその隆起部に対応する従節２８が形成されており、ディスクのクランプが行われるまで隆起部２７上に従節２８があって、クランプ板２６がターンテーブル３から離間するようフラップ板１４の自由端側が図示せぬ捩りバネの弾力に抗して押し上げられている。そして、スライドカム５が開口部７側へ移動すると、隆起部２７から従節２８が外れてフラップ板１４が下方揺動を始め、而してクランプ板２６がターンテール３に向かって降下することによりその両者間でディスクのクランプが行われるのである。
【００２０】
又、図５において、２９は送りローラを回転自在に支持するスイングアーム、３０はカム本体に形成した斜面状のガイド溝であり、そのガイド溝３０にはスイングアーム２９に固定したピン３１が差し込まれている。そして、スライドカム５の開口部７側への移動に際してガイド溝３０がピン３１を押し下げることにより、上記のようなディスクのクランプ動作と同時にディスクの記録面から送りローラ９が離間するようになっている。
【００２１】
尚、図６のようにディスクのクランプ時において、ディスクはその中心孔Ｈとターンテーブルのテーパ部３Ａとの嵌合により開口部７側へ僅かにずれ落ちるのであり、このため小径ディスクｄは図７のように固定状態にある揺動リンクの凸部１６から端面を離間させた状態でクランプされ、大径ディスクＤは図８のようにストッパ２２から端面を離間させた状態でクランプされるが、大径ディスクＤの場合にはバネ１８の作用により凸部１６が端面に圧着したままクランプされるので安定した回転ができなくなる。
【００２２】
そこで、係るディスクドライブ装置ではスライドカム５を利用して大径ディスクＤのクランプ時に、その端面から凸部１６を離間させ得るようにしている。その構成を説明すると、図９から明らかなようにスライドカム５の一端部（カム本体５Ａの後部）には、前端を斜面３２Ａとするイケール状の加圧部３２が形成され、その加圧部３２とラック５Ｂの鍔部２３との間に作動レバーの突起２１Ｂが挟み込まれる構成とされる。そして、大径ディスクの引き込み時には、スライドカム５の開口部７側への移動によって加圧部３２が作動レバーの突起２１Ｂを内方へ押圧し、これにより一対の揺動リンク１３Ａ，１３Ｂがバネ１８の弾力に抗する方向に揺動され、ターンテーブルとクランプ板とによりクランプ状態にある大径ディスクＤの端面から凸部１６が離間するようになっている（図８及び図９参照）。このため、大径ディスクＤの端面から凸部１６を離間させたまま、これを無負荷状態で安定的に回転せしめることができる。
【００２３】
ここで、以上のように構成されるディスクドライブ装置の作用を説明すれば、先ず小径ディスクｄを開口部７に挿入すると、図示せぬスイッチが押されて送りローラ９が回転し、これにより小径ディスクｄの引き込みが行われる。その小径ディスクｄは揺動リンク１３Ａ，１３Ｂの凸部１６に突き当ってクランプ位置に停止されるが、その直前には該小径ディスクの端面が作動レバーの突起２１Ａを押し、これにより作動レバー２１が揺動してその他端に設けた突起２１Ｂがラック５Ｂの鍔部２３を押す。すると、ラックの歯部２４が回転中の歯車２５に噛み合ってスライドカム５の開口部側（前方）への移動が開始され、これによりクランプ板２６が降下してターンテーブル３との間で小径ディスクｄのクランプが行われつつ小径ディスクｄの端面が揺動リンクの凸部１６から離間し、同時に送りローラ９が小径ディスクｄの記録面から離間して小径ディスクｄの再生準備が整うようになる。
【００２４】
一方、大径ディスクＤを開口部７に挿入した場合も、図示せぬスイッチが押されて送りローラ９が回転し、これにより大径ディスクＤの引き込みが行われるが、このとき解錠板１１の揺動により錠板１２による揺動リンク１３Ａ，１３Ｂの揺動固定が解除される。よって、大径ディスクＤはその端面が揺動リンクの凸部１６に突き当っても停止せず、その凸部１６を押し込みながら端面がストッパ２２に突き当たるまで進行を続ける。このとき、揺動リンク１３Ａ，１３Ｂはバネ１８の弾力に抗して揺動され、而して揺動リンクに連接する作動レバー２１が後方へ移動されつつ、その縁がフラップ板１４の後部に突き当たるなどして該作動レバー２１の揺動が行われる。この結果、小径ディスクの場合と同じく作動レバーの突起２１Ｂがラックの鍔部２３を押してスライドカム５の開口部側（前方）への移動が開始され、これによりクランプ板２６が降下してターンテーブル３との間で大径ディスクＤのクランプが行われつつ該大径ディスクの端面がストッパ２２から離間し、同時に送りローラ９が大径ディスクの記録面から離間する。又、このときスライドカムの加圧部３２が作動レバーの突起２１Ｂを内方に押圧することにより、その作動レバー２１を介して揺動リンク１３Ａ，１３Ｂがバネ１８の弾力に抗する方向に揺動される。このため、大径ディスクＤの端面から凸部１６が離間して大径ディスクの再生準備が整うようになる。
【００２５】
以上、本発明について説明したが、係るディスクドライブ装置はＣＤプレーヤに限らず、その他ディスクの記録／再生装置にも適用できること勿論である。
【００２６】
【発明の効果】
以上の説明で明らかなように、本発明に係るディスクドライブ装置によれば、多数の部品を使用せずしてディスクの位置決めを正確に行うことができ、しかも部品点数の削減により故障要因が減り、装置の小型化やコストダウンを図ることもできる。又、大径ディスクでも無負荷状態で安定的に回転させることができるので良好な再生が可能である。
【図面の簡単な説明】
【図１】本発明に係るディスクドライブ装置の平面概略図
【図２】同装置の正面概略図
【図３】本発明に係る要部平面図
【図４】作動レバーによりスライドカムが押された状態を示す部分拡大図
【図５】スライドカムの側面図
【図６】ディスクがクランプされる状態を示す部分断面図
【図７】小径ディスクのクランプ状態を示す平面概略図
【図８】大径ディスクのクランプ状態を示す平面概略図
【図９】大径ディスクの端面から凸部が離間する状態を示す部分拡大図
【符号の説明】
ｄ  小径ディスク
Ｄ  大径ディスク
３  ターンテーブル
５  スライドカム
７  開口部
９  送りローラ
１２  錠板（ロック手段）
１３Ａ，１３Ｂ  揺動リンク
１６  凸部
１８  バネ
２１  作動レバー
２６  クランプ板
３２  加圧部
【図１】
2004362717.tif 000003
【図２】
2004362717.tif 000004
【図３】
2004362717.tif 000005
【図４】
2004362717.tif 000006
【図５】
2004362717.tif 000007
【図６】
2004362717.tif 000008
【図７】
2004362717.tif 000009
【図８】
2004362717.tif 000010
【図９】
2004362717.tif 000011